(57)【特許請求の範囲】
【請求項１】
原稿台に載置される原稿を読み取るスキャナー部と、
読み取られた前記原稿の画像データに対する複数の機能に対応させた画像処理を行う画像処理部と、
前記原稿台の周囲に載置される前記原稿の各辺に対応して配置され、単独ではそれぞれがいずれかの前記機能に割り当てられ、複数の組み合わせでは前記機能とは別の機能に割り当てられることが可能な原稿検知センサーと、
前記原稿台を覆う圧板カバーの開閉を検知する圧板開閉検知センサーと、
前記原稿検知センサーに割り当てられている機能を表示するパネル部と、
前記原稿検知センサーによって前記原稿の縁部が検知され、さらに前記圧板開閉検知センサーによって前記圧板カバーが閉じられたことが検知されると、前記画像処理部に対し、前記原稿を検知した前記原稿検知センサーに割り当てられている機能を実行させるシステム制御部とを備え、
前記システム制御部は、単独の前記原稿検知センサーにより前記原稿の１辺の縁部が前記原稿台の周囲に配置された前記原稿検知センサーによって検知された場合、単独での割り当てに対応する機能を実行させ、複数の組み合わせでの前記原稿検知センサーにより前記原稿の隣り合う２辺のそれぞれの縁部が前記原稿台の周囲に配置された前記原稿検知センサーによって検知された場合、複数の組み合わせでの割り当てに対応する機能を実行させる
ことを特徴とする原稿読取装置。
【請求項２】
前記システム制御部は、いずれかの前記原稿検知センサーによって前記原稿の縁部が検知されると、一定時間経過したかどうかを判断し、一定時間経過した後に、前記圧板開閉検知センサーによって前記圧板カバーが閉じられたかどうかを判断することを特徴とする請求項１に記載の原稿読取装置。
【発明の詳細な説明】
【技術分野】
【０００１】
本発明は、原稿台に載置された原稿の画像を読み取る原稿読取装置に関する。
【背景技術】
【０００２】
たとえば、ＭＦＰ（Ｍｕｌｔｉｆｕｎｃｔｉｏｎ  Ｐｅｒｉｐｈｅｒａｌ）などの画像形成装置には、コピー、プリント、ＦＡＸ（Ｆａｃｓｉｍｉｌｅ）などの各ジョブのマルチ動作機能や、ユーザーボックス機能などが搭載されている。
【０００３】
これらの機能を使用する場合、通常、パネル部の設定画面で使用する機能などの設定を行うことになる。この場合、原稿をガラス面となっている原稿台に載置し、圧板を閉じ、パネル部の設定画面で使用する機能などの設定を行い、パネル部のスタートボタンを操作することで、パネル部の設定画面で設定した機能による処理が開始される。なお、原稿をガラス面となっている原稿台に載置する前に、予めパネル部の設定画面で使用する機能などの設定を行うことも可能である。
【０００４】
このように、ＭＦＰのいずれかの機能を使用する場合、パネル部の設定画面での使用する機能などの設定操作などが介在するため、作業効率の向上の妨げとなっている。
【０００５】
このような不具合を解消するために、特許文献１に示されている画像読取装置の制御方法を適用することが考えられる。これは、制御手段により、少なくとも検知手段により圧板が閉じた状態にあることが検知されている場合に、ユーザーによる読取開始指示がなされていなくとも、原稿台に載置された原稿の画像を読取手段に読み取らせ、読取手段によって読み取られた原稿の画像を表示部に表示するよう制御するようにしたものである。
【先行技術文献】
【特許文献】
【０００６】
【特許文献１】特開２０１１−１５１５７０
【発明の概要】
【発明が解決しようとする課題】
【０００７】
上述した特許文献１での画像読取装置の制御方法では、原稿台に原稿を載置し圧板を閉じるだけで原稿から読み取った画像が表示部に表示されることから、ユーザーによる画像読取開始の指示がなくても、原稿台に載置された原稿の読み取りが自動で行われ、原稿の載置状態をプレビューすることができる。
【０００８】
ところが、このような画像読取装置の制御方法では、パネル部による設定操作などが不要となるものの、上述した原稿読取装置に搭載されている、コピー、プリント、ＦＡＸ（Ｆａｃｓｉｍｉｌｅ）などの各ジョブのマルチ動作機能や、ユーザーボックス機能などを原稿台に対する原稿の載置状態に応じて自動で実行させることができないという問題があった。
【０００９】
本発明は、このような状況に鑑みてなされたものであり、上記問題点を解消することができる原稿読取装置を提供することを目的とする。
【課題を解決するための手段】
【００１０】
本発明の原稿読取装置は、原稿台に載置される原稿を読み取るスキャナー部と、読み取られた前記原稿の画像データに対する複数の機能に対応させた画像処理を行う画像処理部と、前記原稿台の周囲に載置される前記原稿の各辺に対応して配置され、単独ではそれぞれがいずれかの前記機能に割り当てられ、複数の組み合わせでは前記機能とは別の機能に割り当てられることが可能な原稿検知センサーと、前記原稿台を覆う圧板カバーの開閉を検知する圧板開閉検知センサーと、前記原稿検知センサーに割り当てられている機能を表示するパネル部と、前記原稿検知センサーによって前記原稿の縁部が検知され、さらに前記圧板開閉検知センサーによって前記圧板カバーが閉じられたことが検知されると、前記画像処理部に対し、前記原稿を検知した前記原稿検知センサーに割り当てられている機能を実行させるシステム制御部とを備え、前記システム制御部は、単独の前記原稿検知センサーにより前記原稿の１辺の縁部が前記原稿台の周囲に配置された前記原稿検知センサーによって検知された場合、単独での割り当てに対応する機能を実行させ、複数の組み合わせでの前記原稿検知センサーにより前記原稿の隣り合う２辺のそれぞれの縁部が前記原稿台の周囲に配置された前記原稿検知センサーによって検知された場合、複数の組み合わせでの割り当てに対応する機能を実行させることを特徴とする。
また、前記システム制御部は、いずれかの前記原稿検知センサーによって前記原稿の縁部が検知されると、一定時間経過したかどうかを判断し、一定時間経過した後に、前記圧板開閉検知センサーによって前記圧板カバーが閉じられたかどうかを判断することを特徴とする。
本発明の原稿読取装置では、システム制御部により、原稿検知センサーによって原稿の縁部が検知され、さらに圧板開閉検知センサーによって圧板カバーが閉じられたことが検知されると、スキャナー部によって読み取られた原稿の画像データに対する複数の機能に対応させた画像処理を行う画像処理部に対し、原稿を検知した原稿検知センサーに割り当てられている機能を実行させることができる。
【発明の効果】
【００１１】
本発明の原稿読取装置によれば、原稿検知センサーによって原稿の縁部が検知されると、画像処理部による、原稿を検知した原稿検知センサーに割り当てられている機能が実行されるようにしたので、パネル部による設定操作などを行うことなく、原稿台に対する原稿の載置状態に応じて画像処理部による複数の機能に対応させた画像処理を自動で実行させることができる。
【図面の簡単な説明】
【００１２】
【図１】本発明の原稿読取装置をＭＦＰとした場合の一実施形態を示す図である。
【図２】図１のＭＦＰの原稿台に設けられている原稿検知センサーを説明するための図である。
【図３】図２の原稿検知センサーによって原稿台に載置された原稿の一部（縁部）が検知される場合を説明するためのものであって、同図（ａ）はたとえばコピー機能に割り当てられている原稿検知センサーによって原稿の一部（縁部）が検知される場合を示す図であり、同図（ｂ）はプリント機能に割り当てられている原稿検知センサーによって原稿の一部（縁部）が検知される場合を示す図である。
【図４】図２の原稿検知センサーによって原稿台に載置された原稿の一部（縁部）が検知される場合を説明するためのものであって、同図（ａ）はたとえばＦＡＸ機能に割り当てられている原稿検知センサーによって原稿の一部（縁部）が検知される場合を示す図であり、同図（ｂ）はユーザーボックス機能に割り当てられている原稿検知センサーによって原稿の一部（縁部）が検知される場合を示す図である。
【図５】図１のＭＦＰによる原稿載置検知動作モードにおける動作を説明するためのフローチャートである。
【図６】図２の原稿検知センサーによって原稿台に載置された原稿の一部（縁部）が検知される場合の他の例を説明するためのものであって、同図（ａ）はたとえばスキャナー部によって原稿を読み取らせ、その読み取った画像データをＵＳＢメモリーに保存させるといったような処理に割り当てられている２個の原稿検知センサーによって原稿の一部（縁部）が検知される場合を示す図であり、同図（ｂ）はたとえばスキャナー部によって原稿を読み取らせ、その読み取った画像データをＩ／Ｆを介して送信させるといったような処理に割り当てられている２個の原稿検知センサーによって原稿の一部（縁部）が検知される場合を示す図である。
【発明を実施するための最良の形態】
【００１３】
以下、本発明の原稿読取装置の一実施形態を、図１〜図３を参照しながら説明する。なお、以下の説明においての原稿読取装置の一例としては、たとえばコピー、プリント、ＦＡＸ（Ｆａｃｓｉｍｉｌｅ）などの各ジョブのマルチ動作機能や、ユーザーボックス機能などを搭載した複合的な周辺機器であるＭＦＰ（Ｍｕｌｔｉｆｕｎｃｔｉｏｎ  Ｐｅｒｉｐｈｅｒａｌ）であるものとする。また、ＭＦＰには、後述の原稿１４０の読み取り位置の位置ズレを補正する位置補正機能が搭載されているものとする。
【００１４】
まず、図１に示すように、ＭＦＰ１００は、制御部１１０、スキャナー部１３０、プリンター部１３１、ＦＡＸ部１３２、Ｉ／Ｆ（インターフェース）１３３、原稿検知センサー１３４ａ〜１３４ｄ、圧板開閉検知センサー１３５、パネル部１３６、ＨＤＤ（Ｈａｒｄ  ｄｉｓｋ  ｄｒｉｖｅ）１３７を備えている。
【００１５】
スキャナー部１３０は、イメージセンサー（図示省略）によって読み取られる原稿の画像データを制御部１１０に入力する。すなわち、スキャナー部１３０は、イメージセンサー（図示省略）からの原稿の画像信号をデジタルの画像データに変換し、順次、制御部１１０に入力する。
【００１６】
プリンター部１３１は、制御部１１０から出力される画像データに基づき、用紙上に画像をプリントする。ＦＡＸ部１３２は、制御部１１０から出力される画像データを、電話回線を通じ相手方となるファクシミリへと送信し、また、相手方ファクシミリからの画像データを受信して制御部１１０に入力する。すなわち、ＦＡＸ部１３２は、図示しないＮＣＵ（Ｎｅｔｗｏｒｋ  Ｃｏｎｔｒｏｌ  Ｕｎｉｔ）により電話回線との接続を制御しつつ、制御部１１０から出力される画像データを圧縮し変調して、相手方ファクシミリへと送信する。また、ＦＡＸ部１３２は、ＮＣＵにより電話回線と接続しつつ、相手方ファクシミリからの画像データを復調し伸張して、制御部１１０に入力する。
【００１７】
Ｉ／Ｆ１３３は、社内ＬＡＮ（Ｌｏｃａｌ  Ａｒｅａ  Ｎｅｔｗｏｒｋ）などのネットワーク（図示省略）を介してたとえばクライアント端末（図示省略）との通信を行う。
【００１８】
原稿検知センサー１３４ａ〜１３４ｄは、後述の原稿１４０を検知する。すなわち、たとえば図２に示すように、ＭＦＰ１００の筐体１０１の上方に設けられている、ガラスで構成された原稿台１３４Ａの周囲（外縁部）に配置されている。
【００１９】
ここで、原稿検知センサー１３４ａ〜１３４ｄは、ＭＦＰ１００が有する各種機能のいずれかが自動的に実行されるように割り当てられている。すなわち、原稿検知センサー１３４ａは、たとえばコピー機能が実行されるように割り当てられている。また、原稿検知センサー１３４ｂは、プリント機能が実行されるように割り当てられている。また、原稿検知センサー１３４ｃは、ＦＡＸ機能が実行されるように割り当てられている。また、原稿検知センサー１３４ｄは、ユーザーボックス機能が実行されるように割り当てられている。
【００２０】
なお、原稿検知センサー１３４ａ〜１３４ｄに対する割り当ては、パネル部１３６の設定画面での操作により任意に設定することができる。
【００２１】
圧板開閉検知センサー１３５は、原稿台１３４Ａを覆う圧板カバー（図示省略）の開閉を検知するものであり、たとえばＭＦＰ１００の筐体１０１の原稿台１３４Ａの近傍に配置されている。
【００２２】
パネル部１３６は、ＭＦＰ１００のプリンター機能、ＦＡＸ機能、スキャン機能のいずれかの選択や、各種設定を行うための操作ボタンなどを表示する。また、原稿検知センサー１３４ａ〜１３４ｄに対する上述した割り当てを設定するための設定画面などを表示する。また、パネル部１３６は、原稿載置検知動作モードを有効にするかどうかの設定画面などを表示する。
【００２３】
ＨＤＤ１３７には、ＭＦＰ１００の種々の機能を提供するためのアプリケーションプログラムなどが記憶されている。また、ＨＤＤ１３７には、ユーザーボックスなどが設けられている。
【００２４】
制御部１１０は、ＭＦＰ１００全体の動作を制御するものであり、スキャナー制御部１１１、プリンター制御部１１２、ＦＡＸ（Ｆａｃｓｉｍｉｌｅ）制御部１１３、通信制御部１１４、ＲＡＭ（Ｒａｎｄｏｍ  Ａｃｃｅｓｓ  Ｍｅｍｏｒｙ）１１５、ＲＯＭ（Ｒｅａｄ  Ｏｎｌｙ  Ｍｅｍｏｒｙ）１１６、画像処理部１１７、センサー制御部１１８、圧板センサー制御部１１９、パネル操作制御部１２０、ＨＤＤ制御部１２１、システム制御部１２２を備えている。また、これらは、データバス１２３に接続されている。
【００２５】
スキャナー制御部１１１は、スキャナー部１３０の読み取り動作を制御する。プリンター制御部１１２は、プリンター部１３１のプリント動作を制御する。ＦＡＸ制御部１１３は、ＦＡＸ部１３２による画像データの送受信動作を制御する。通信制御部１１４は、Ｉ／Ｆ１３３を介しての通信を制御する。
【００２６】
ＲＡＭ１１５は、プログラムを実行するためのワークメモリである。ＲＯＭ１１６には、各部の動作チェックなどを行う制御プログラムなどが格納されている。画像処理部１１７は、たとえばスキャナー部１３０によって読み取られた原稿の画像データに対する画像処理を行う。すなわち、パネル部１３６によって原稿載置検知動作モードに設定されているとき、いずれかの原稿検知センサー１３４ａ〜１３４ｄによって後述の原稿１４０が検知された際、原稿１４０を検知したいずれかの原稿検知センサー１３４ａ〜１３４ｄに割り当てられているコピー機能、プリント機能、ＦＡＸ機能、ユーザーボックス機能のいずれかに対応する処理を実行する。
【００２７】
つまり、たとえば図３（ａ）に示すように、原稿１４０の一部（縁部）が原稿検知センサー１３４ａを覆うように、原稿１４０を原稿台１３４Ａに載置すると、原稿検知センサー１３４ａによって原稿１４０が検知される。また、図３（ｂ）に示すように、原稿１４０の一部（縁部）が原稿検知センサー１３４ｂを覆うように、原稿１４０を原稿台１３４Ａに載置すると、原稿検知センサー１３４ｂによって原稿１４０が検知される。また、図４（ａ）に示すように、原稿１４０の一部（縁部）が原稿検知センサー１３４ｃを覆うように、原稿１４０を原稿台１３４Ａに載置すると、原稿検知センサー１３４ｃによって原稿１４０が検知される。また、図４（ｂ）に示すように、原稿１４０の一部（縁部）が原稿検知センサー１３４ｄを覆うように、原稿１４０を原稿台１３４Ａに載置すると、原稿検知センサー１３４ｄによって原稿１４０が検知される。
【００２８】
そして、画像処理部１１７は、コピー機能に割り当てられている原稿検知センサー１３４ａによって原稿１４０が検知された場合、スキャナー部１３０によって読み取られた原稿１４０の画像データをコピーに必要なデータに変換するための画像処理（ラスタライズ）を行う。また、画像処理部１１７は、たとえばプリント機能に割り当てられている原稿検知センサー１３４ｂによって原稿１４０が検知された場合、スキャナー部１３０によって読み取られた原稿１４０の画像データをプリントに必要なデータに変換するための画像処理（ラスタライズ）を行う。また、画像処理部１１７は、ＦＡＸ機能又はユーザーボックス機能に割り当てられている原稿検知センサー１３４ｃ又は１３４ｄによって原稿１４０が検知された場合も同様に、それぞれの機能に対応する画像処理（ラスタライズ）を行う。なお、図３(ａ)、（ｂ）及び図４(ａ)、（ｂ）では、原稿台１３４Ａに対する原稿１４０の載置位置が異なるが、上述した位置補正機能により、載置位置が異なっても位置ズレが補正される。
【００２９】
センサー制御部１１８は、原稿検知センサー１３４ａ〜１３４ｄの検知動作を制御する。圧板センサー制御部１１９は、圧板開閉検知センサー１３５の検知動作を制御する。
【００３０】
パネル操作制御部１２０は、パネル部１３６の表示動作を制御する。ＨＤＤ制御部１２１は、ＨＤＤ１３７に対するデータの書き込みや読み出しなどを制御する。システム制御部１２２は、詳細は後述するが、主にパネル部１３６によって原稿載置検知動作モードに設定されているとき、原稿１４０を検知した原稿検知センサー１３４ａ〜１３４ｄを識別し、この識別した原稿検知センサー１３４ａ〜１３４ｄのいずれかに割り当てられている、上述したコピー機能、プリント機能、ＦＡＸ機能、ユーザーボックス機能のいずれかを画像処理部１１７に実行させるように制御する。
【００３１】
次に、図５を参照し、ＭＦＰ１００の原稿載置検知動作モードについて説明する。
【００３２】
まず、システム制御部１２２は、原稿載置検知動作モードに設定されているかどうかを判断する（ステップＳ１０１）。ここで、原稿載置検知動作モードに設定されていないと判断すると（ステップＳ１０１：Ｎｏ）、原稿載置検知動作モードの設定待ちとなる。これに対し、システム制御部１２２は、原稿載置検知動作モードに設定されていると判断すると（ステップＳ１０１：Ｙｅｓ）、原稿検知センサー１３４ａ〜１３４ｄのいずれかによって原稿１４０が検知されたかどうかを判断する（ステップＳ１０２）。
【００３３】
ここで、システム制御部１２２は、原稿検知センサー１３４ａ〜１３４ｄのいずれかによって原稿１４０が検知されていないと判断すると（ステップＳ１０２：Ｎｏ）、原稿検知センサー１３４ａ〜１３４ｄのいずれかによる原稿１４０の検知待ちとなる。これに対し、システム制御部１２２は、原稿検知センサー１３４ａ〜１３４ｄのいずれかによって原稿１４０が検知されたと判断すると（ステップＳ１０２：Ｙｅｓ）、一定時間経過したかどうかを判断する（ステップＳ１０３）。ここでの判断処理は、上述した原稿台１３４Ａに対する原稿１４０の載置場所が決まらず、原稿台１３４Ａ上での原稿１４０の移動があったとき、短時間のうちに原稿検知センサー１３４ａ〜１３４ｄによって原稿１４０が検知されたと判断すると、ユーザーの意向とは異なる処理が実行されてしまうおそれがあるためである。
【００３４】
そのため、システム制御部１２２は、一定時間経過していない場合、一定時間経過するまで待ち（ステップＳ１０３：Ｎｏ）、一定時間経過したと判断すると（ステップＳ１０３：Ｙｅｓ）、原稿１４０を検知したいずれかの原稿検知センサー１３４ａ〜１３４ｄを識別する（ステップＳ１０４）。
【００３５】
次いで、システム制御部１２２は、原稿台１３４Ａを覆う圧板カバー（図示省略）が閉じられたかどうかを判断する（ステップＳ１０５）。すなわち、圧板開閉検知センサー１３５により、圧板カバー（図示省略）が閉じられたことが検知されていない場合、圧板カバー（図示省略）が閉じられていないと判断する（ステップＳ１０５：Ｎｏ）。これに対し、圧板開閉検知センサー１３５により、圧板カバー（図示省略）が閉じられたことが検知された場合、圧板カバー（図示省略）が閉じられたと判断する（ステップＳ１０５：Ｙｅｓ）。
【００３６】
そして、システム制御部１２２は、原稿台１３４Ａを覆う圧板カバー（図示省略）が閉じられたと判断すると、原稿１４０を検知したいずれかの原稿検知センサー１３４ａ〜１３４ｄに対応する処理を画像処理部１１７に対して実行させる（ステップＳ１０６）。
【００３７】
すなわち、上述したように、システム制御部１２２は、検知センサー１３４ａが原稿１４０を検知したと識別すると、画像処理部１１７に対してコピー機能を実行させる。また、システム制御部１２２は、検知センサー１３４ｂが原稿１４０を検知したと識別すると、画像処理部１１７に対してプリント機能を実行させる。また、システム制御部１２２は、検知センサー１３４ｃが原稿１４０を検知したと識別すると、画像処理部１１７に対してＦＡＸ機能を実行させる。また、システム制御部１２２は、検知センサー１３４ｄが原稿１４０を検知したと識別すると、画像処理部１１７に対してユーザーボックス機能を実行させる。
【００３８】
このように、本実施形態では、システム制御部１２２により、原稿検知センサー１３４ａ〜１３４ｄによって原稿１４０の一部（縁部）が検知され、さらに圧板開閉検知センサー１３５によって圧板カバー（図示省略）が閉じられたことが検知されると、スキャナー部１３０によって読み取られた原稿１４０の画像データに対する複数の機能に対応させた画像処理を行う画像処理部１１７に対し、原稿１４０を検知した原稿検知センサー１３４ａ〜１３４ｄに割り当てられている機能を実行させるようにしている。
【００３９】
これにより、パネル部１３６による設定操作などを行うことなく、原稿台１３４Ａに対する原稿１４０の載置状態に応じて画像処理部１１７による複数の機能に対応させた画像処理を自動で実行させることができる。
【００４０】
また、本実施形態では、原稿検知センサー１３４ａ〜１３４ｄが原稿台１３４Ａの周囲（外縁部）に配置されているため、原稿１４０を任意の原稿検知センサー１３４ａ〜１３４ｄ側に寄せて原稿台１３４Ａに載置すればよく、原稿台１３４Ａの大きさにかかわらず、原稿検知センサー１３４ａ〜１３４ｄにより原稿１４０の一部（縁部）を確実に検知することができる。
【００４１】
なお、本実施形態では、原稿検知センサー１３４ａ〜１３４ｄが原稿台１３４Ａの周囲（外縁部）に配置されている場合として説明したが、この例に限らず、原稿検知センサー１３４ａ〜１３４ｄを原稿台１３４Ａの四隅に配置してもよい。
【００４２】
また、本実施形態では、システム制御部１２２が原稿検知センサー１３４ａ〜１３４ｄのいずれかかが原稿１４０の一部（縁部）を検知したことに伴い、それぞれの原稿検知センサー１３４ａ〜１３４ｄに割り当てられている機能を画像処理部１１７に対して実行させる場合として説明したがこの例に限るものではない。
【００４３】
すなわち、たとえば図６（ａ）に示すように、原稿検知センサー１３４ａ、１３４ｂによって原稿１４０の２辺のそれぞれの一部（縁部）が検知された場合、たとえばスキャナー部１３０によって原稿１４０を読み取らせ、その読み取った画像データをＵＳＢメモリーに保存させるといったような処理を行わせることも可能である。
【００４４】
また、図６（ｂ）に示すように、原稿検知センサー１３４ｃ、１３４ｄによって原稿１４０の一部（縁部）が検知された場合、たとえばスキャナー部１３０によって原稿１４０を読み取らせ、その読み取った画像データをＩ／Ｆ１３３を介して送信させるといったような処理を行わせることも可能である。
【００４５】
なお、原稿検知センサー１３４ａ、１３４ｂ、１３４ｃ、１３４ｄに割り当てる機能については、パネル部１３６による設定操作により、任意に変更できるようにしてもよい。また、それぞれの原稿検知センサー１３４ａ、１３４ｂ、１３４ｃ、１３４ｄに割り当てる機能については、１つに限らず、複数であってもよい。この場合、パネル部１３６による設定操作により、任意に変更できるようにすればよい。
【００４６】
また、原稿検知センサー１３４ａ、１３４ｂ、１３４ｃ、１３４ｄに割り当てる機能を、ユーザー毎に変更できるようにしてもよい。この場合、たとえばＭＦＰ１００へのログインＩＤなどによりユーザーを識別し、ユーザー毎に予め設定されている、原稿検知センサー１３４ａ、１３４ｂ、１３４ｃ、１３４ｄに割り当てられている機能に変更するようにすればよい。
【００４７】
このように、原稿検知センサー１３４ａ〜１３４ｄを組み合わせることで、パネル部１３６による設定を不要とした自動処理のバリエーションをさらに増やすことができる。
【００４８】
また、原稿検知センサー１３４ａ、１３４ｂ、１３４ｃ、１３４ｄに割り当てられた機能については、パネル部１３６などに表示させるようにしてもよい。この場合、表示内容を確認することで、必要な機能に対する原稿台１３４Ａ上の原稿１４０の載置位置の確認を容易に行うことができる。
【符号の説明】
【００４９】
１００  ＭＦＰ
１０１  筐体
１１０  制御部
１１１  スキャナー制御部
１１２  プリンター制御部
１１３  ＦＡＸ制御部
１１４  通信制御部
１１５  ＲＡＭ
１１６  ＲＯＭ
１１７  画像処理部
１１８  センサー制御部
１１９  圧板センサー制御部
１２０  パネル操作制御部
１２１  ＨＤＤ制御部
１２２  システム制御部
１２３  データバス
１３０  スキャナー部
１３１  プリンター部
１３２  ＦＡＸ部
１３３  Ｉ／Ｆ
１３４Ａ  原稿台
１３４ａ〜１３４ｄ  原稿検知センサー
１３５  圧板開閉検知センサー
１３６  パネル部
１３７  ＨＤＤ
１４０  原稿
【図１】
0006372392.tif 000002
【図２】
0006372392.tif 000003
【図３】
0006372392.tif 000004
【図４】
0006372392.tif 000005
【図５】
0006372392.tif 000006
【図６】
0006372392.tif 000007